【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
発光体の放射する光を集光して被照明領域を照明する照明装置であって、
複数の前記発光体と、
前記複数の発光体と同数で対をなし前記発光体の放射光を集光する複数の凹面鏡と、
前記複数の凹面鏡で集光された光がそれぞれ入射し、それぞれの光を所定の方向に反射する反射手段と、
前記反射手段で反射された光が入射し実質上平行な平行光を出射する集光手段と、
複数のレンズから構成され、前記集光手段からの光を複数の光束に分割する第１レンズアレイ板と、
複数のレンズから構成され、前記第１レンズアレイ板からの光が入射する第２レンズアレイ板とを備えたことを特徴とする照明装置。
【請求項２】
発光体の放射する光を集光して被照明領域を照明する照明装置であって、
複数の前記発光体と、
前記複数の発光体と同数で対をなし前記発光体の放射光を集光する複数の凹面鏡と、
前記複数の凹面鏡で集光された光が入射し、それぞれの光を所定の方向に反射する反射手段と、
前記反射手段で反射された光が入射し実質上平行な平行光を出射する集光手段と、
複数のレンズから構成され、前記集光手段からの光を複数の光束に分割する第１レンズアレイ板と、
複数のレンズから構成され、前記第１のレンズアレイ板からの光が入射する第２レンズアレイ板と、
前記第２レンズアレイ板からの光が入射し自然光を偏光方向が直交する２つの直線偏光に分離する偏光分離手段と、
前記偏光分離手段からの光が入射し前記２つの直線偏光のうち少なくともいずれか一方の偏光方向を回転する偏光回転手段と、
を備えたことを特徴とする照明装置。
【請求項３】
前記第2レンズアレイ板を構成する前記複数のレンズの同一開口上に、それぞれ前記複数の発光体に対応した像が形成されることを特徴とする請求項１または２に記載の照明装置。
【請求項４】
前記第2レンズアレイ板を構成する複数のレンズは、長軸と短軸を有する矩形状であり、
前記複数の発光体の像が、前記複数のレンズの同一開口上において、前記長軸方向に配列されることを特徴とする請求項３記載の照明装置。
【請求項５】
前記複数の発光体は２つの発光体であり、
前記第2レンズを構成する複数のレンズは、長軸と短軸を有する矩形状であり、
前記２つの発光体の像が、前記複数のレンズの同一開口上において、前記長軸方向に配列されることを特徴とする請求項３記載の照明装置。
【請求項６】
前記集光手段は、一枚の球面または非球面レンズにより構成されており、
有効径の光軸近傍部から周辺部に沿って前記入射光の光束密度が小さくなるように制御することであることを特徴とする請求項１または２記載の照明装置。
【請求項７】
前記集光手段は、入力側レンズと出力側レンズにより構成されており、前記入力側レンズは有効径の周辺部について正のパワーを有すると共に光軸近傍部について周辺部よりも緩やかなパワーを有し、前記出力側レンズは有効径の光軸近傍部について正のパワーを有するとともに周辺部について光軸近傍部よりも緩やかなパワーを有し、
有効径の光軸近傍部から周辺部に沿って前記入射光の光束密度が実質上均一になるように制御されることを特徴とする請求項１または２記載の照明装置。
【請求項８】
前記入力側レンズと前記出力側レンズの間に光路を折り曲げる平面ミラーを配置したことを特徴とする請求項７記載の照明装置。
【請求項９】
前記凹面鏡と前記反射手段の間に光路を折り曲げる平面ミラーを配置したことを特徴とする請求項１または２記載の照明装置。
【請求項１０】
前記平面ミラーは、赤外光を透過し可視光を反射するコールドミラーであることを特徴とする請求項８または９記載の照明装置。
【請求項１１】
前記反射手段は、複数の発光体と同数の反射面を備えた反射プリズムであることを特徴とする請求項１または２記載の照明装置。
【請求項１２】
前記反射プリズムの反射面に、アルミニウム膜または誘電体多層膜が蒸着されていることを特徴とする請求項１１記載の照明装置。
【請求項１３】
前記反射手段は全反射面を備えた直角プリズムであることを特徴とする請求項１または２記載の照明装置。
【請求項１４】
前記直角プリズムは石英ガラス製である請求項１３記載の照明装置。
【請求項１５】
前記偏光分離手段は、複数の偏光分離プリズムを被照明領域の短軸方向に配列してなる偏光分離プリズムアレイである請求項２記載の照明装置。
【請求項１６】
照明光を形成する請求項１又は２記載の照明装置と、
前記照明装置からの光が入射し、映像信号に応じて光学像を形成する１つの画像形成手段と、
前記画像形成手段上に形成された光学像をスクリーン上に投写する投写手段と、
を備えたことを特徴とする投写型表示装置。
【請求項１７】
照明光としての白色光を形成する請求項１又は２記載の照明装置と、
前記照明装置からの白色光を赤、緑、青の色成分の光に分離する色分離手段と、
前記色分離手段からの各色光が入射し、映像信号に応じて光学像を形成する３つの画像形成手段と、
前記画像形成手段から出射する赤、緑、青の色光を合成する色合成手段と、
前記画像形成手段上に形成された光学像をスクリーン上に投写する投写手段と、
を備えたことを特徴とする投写型表示装置。
【請求項１８】
一対の発光体と凹面鏡から構成される複数の光源と、
前記複数の光源からの光が入射し映像信号に応じて光学像を形成する画像形成手段と、
前記画像形成手段上に形成された光学像をスクリーン上に投写する投写手段とが一つの筐体内に納められた投写型表示装置であって、
前記複数の光源は、各々が前記複数の光源と同数で対をなす第１の固定手段により固定されており、
前記第１の固定手段は、各々が第２の固定手段に脱着が可能であり、
前記第２の固定手段は、前記筐体内に取り付けられた第３の固定手段に脱着が可能である投写型表示装置。
【請求項１９】
一対の発光体と凹面鏡から構成される複数の光源と、
前記複数の光源を冷却するための冷却手段と、
前記複数の光源からの光が入射し映像信号に応じて光学像を形成する画像形成手段と、
前記画像形成手段上に形成された光学像をスクリーン上に投写する投写手段とが一つの筐体内に納められた投写型表示装置であって、
前記複数の光源は、各々の光軸がおよそ平行となるように配置されており、
前記冷却手段は、前記複数の光源の配列方向に所望の長さの回転軸を有し、前記回転軸の周りに複数の送風羽ねを備えた投写型表示装置。
【請求項２０】
前記冷却手段は、クロスフローファンであることを特徴とする請求項１９記載の投写型表示装置。
【手続補正２】
【補正対象書類名】明細書
【補正対象項目名】００１７
【補正方法】変更
【補正の内容】
【００１７】
【課題を解決するための手段】
上記課題を解決するため、本発明の照明装置は、発光体の放射する光を集光して被照明領域を照明する照明装置であって、
複数の前記発光体と、
前記複数の発光体と同数で対をなし前記発光体の放射光を集光する複数の凹面鏡と、
前記複数の凹面鏡で集光された光がそれぞれ入射し、それぞれの光を所定の方向に反射する反射手段と、
前記反射手段で反射された光が入射し実質上平行な平行光を出射する集光手段と、
複数のレンズから構成され、前記集光手段からの光を複数の光束に分割する第１レンズアレイ板と、
複数のレンズから構成され、前記第１レンズアレイ板からの光が入射する第２レンズアレイ板とを備えた照明装置である。


【手続補正３】
【補正対象書類名】明細書
【補正対象項目名】００１８
【補正方法】変更
【補正の内容】
【００１８】
又、本発明の照明装置は、発光体の放射する光を集光して被照明領域を照明する照明装置であって、
複数の前記発光体と、
前記複数の発光体と同数で対をなし前記発光体の放射光を集光する複数の凹面鏡と、
前記複数の凹面鏡で集光された光が入射し、それぞれの光を所定の方向に反射する反射手段と、
前記反射手段で反射された光が入射し実質上平行な平行光を出射する集光手段と、
複数のレンズから構成され、前記集光手段からの光を複数の光束に分割する第１レンズアレイ板と、
複数のレンズから構成され、前記第１のレンズアレイ板からの光が入射する第２レンズアレイ板と、
前記第２レンズアレイ板からの光が入射し自然光を偏光方向が直交する２つの直線偏光に分離する偏光分離手段と、
前記偏光分離手段からの光が入射し前記２つの直線偏光のうち少なくともいずれか一方の偏光方向を回転する偏光回転手段と、
を備えた照明装置である。


【手続補正４】
【補正対象書類名】明細書
【補正対象項目名】００１９
【補正方法】変更
【補正の内容】
【００１９】
又、本発明の照明装置は、上記第2レンズアレイ板を構成する前記複数のレンズの同一開口上に、それぞれ前記複数の発光体に対応した像が形成される照明装置である。
又、本発明の照明装置は、上記第2レンズアレイ板を構成する複数のレンズは、長軸と短軸を有する矩形状であり、
前記複数の発光体の像が、前記複数のレンズの同一開口上において、前記長軸方向に配列される照明装置である。
又、本発明の照明装置は、上記複数の発光体は２つの発光体であり、
前記第2レンズを構成する複数のレンズは、長軸と短軸を有する矩形状であり、
前記２つの発光体の像が、前記複数のレンズの同一開口上において、前記長軸方向に配列される照明装置である。
又、本発明の照明装置は、上記集光手段が、一枚の球面または非球面レンズにより構成されており、
有効径の光軸近傍部から周辺部に沿って前記入射光の光束密度が小さくなるように制御することである照明装置である。


【手続補正５】
【補正対象書類名】明細書
【補正対象項目名】００２０
【補正方法】変更
【補正の内容】
【００２０】
又、本発明の照明装置は、上記集光手段が、入力側レンズと出力側レンズにより構成されており、前記入力側レンズは有効径の周辺部について正のパワーを有すると共に光軸近傍部について周辺部よりも緩やかなパワーを有し、前記出力側レンズは有効径の光軸近傍部について正のパワーを有するとともに周辺部について光軸近傍部よりも緩やかなパワーを有し、
有効径の光軸近傍部から周辺部に沿って前記入射光の光束密度が実質上均一になるように制御される照明装置である。


【手続補正６】
【補正対象書類名】明細書
【補正対象項目名】００２１
【補正方法】変更
【補正の内容】
【００２１】
又、本発明の照明装置は、上記入力側レンズと前記出力側レンズの間に光路を折り曲げる平面ミラーを配置した照明装置である。


【手続補正７】
【補正対象書類名】明細書
【補正対象項目名】００２２
【補正方法】変更
【補正の内容】
【００２２】
又、本発明の照明装置は、上記凹面鏡と前記反射手段の間に光路を折り曲げる平面ミラーを配置した照明装置である。


【手続補正８】
【補正対象書類名】明細書
【補正対象項目名】００２３
【補正方法】変更
【補正の内容】
【００２３】
又、本発明の照明装置は、上記平面ミラーが、赤外光を透過し可視光を反射するコールドミラーである照明装置である。


【手続補正９】
【補正対象書類名】明細書
【補正対象項目名】００２４
【補正方法】変更
【補正の内容】
【００２４】
又、本発明の照明装置は、上記反射手段が、複数の発光体と同数の反射面を備えた反射プリズムである照明装置である。


【手続補正１０】
【補正対象書類名】明細書
【補正対象項目名】００２５
【補正方法】変更
【補正の内容】
【００２５】
又、本発明の照明装置は、上記反射プリズムの反射面に、アルミニウム膜または誘電体多層膜が蒸着されている照明装置である。


【手続補正１１】
【補正対象書類名】明細書
【補正対象項目名】００２６
【補正方法】変更
【補正の内容】
【００２６】
又、本発明の照明装置は、上記反射手段は全反射面を備えた直角プリズムである照明装置である。


【手続補正１２】
【補正対象書類名】明細書
【補正対象項目名】００２７
【補正方法】変更
【補正の内容】
【００２７】
又、本発明の照明装置は、上記直角プリズムは石英ガラス製である照明装置である。


【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】変更
【補正の内容】
【００２９】
又、本発明の照明装置は、上記偏光分離手段が、複数の偏光分離プリズムを被照明領域の短軸方向に配列してなる偏光分離プリズムアレイである照明装置である。


【手続補正１５】
【補正対象書類名】明細書
【補正対象項目名】００３０
【補正方法】変更
【補正の内容】
【００３０】
又、本発明の投写型表示装置は、照明光を形成する上記照明装置と、
前記照明装置からの光が入射し、映像信号に応じて光学像を形成する１つの画像形成手段と、
前記画像形成手段上に形成された光学像をスクリーン上に投写する投写手段と、
を備えた投写型表示装置である。


【手続補正１６】
【補正対象書類名】明細書
【補正対象項目名】００３１
【補正方法】変更
【補正の内容】
【００３１】
又、本発明の投写型表示装置は、照明光としての白色光を形成する上記照明装置と、
前記照明装置からの白色光を赤、緑、青の色成分の光に分離する色分離手段と、
前記色分離手段からの各色光が入射し、映像信号に応じて光学像を形成する３つの画像形成手段と、
前記画像形成手段から出射する赤、緑、青の色光を合成する色合成手段と、
前記画像形成手段上に形成された光学像をスクリーン上に投写する投写手段と、
を備えた投写型表示装置である。


【手続補正１７】
【補正対象書類名】明細書
【補正対象項目名】００３２
【補正方法】変更
【補正の内容】
【００３２】
又、本発明の投写型表示装置は、一対の発光体と凹面鏡から構成される複数の光源と、
前記複数の光源からの光が入射し映像信号に応じて光学像を形成する画像形成手段と、
前記画像形成手段上に形成された光学像をスクリーン上に投写する投写手段とが一つの筐体内に納められた投写型表示装置であって、
前記複数の光源は、各々が前記複数の光源と同数で対をなす第１の固定手段により固定されており、
前記第１の固定手段は、各々が第２の固定手段に脱着が可能であり、
前記第２の固定手段は、上記筐体内に取り付けられた第３の固定手段に脱着が可能である投写型表示装置である。


【手続補正１８】
【補正対象書類名】明細書
【補正対象項目名】００３３
【補正方法】変更
【補正の内容】
【００３３】
又、本発明の投写型表示装置は、一対の発光体と凹面鏡から構成される複数の光源と、
前記複数の光源を冷却するための冷却手段と、
前記複数の光源からの光が入射し映像信号に応じて光学像を形成する画像形成手段と、
前記画像形成手段上に形成された光学像をスクリーン上に投写する投写手段とが一つの筐体内に納められた投写型表示装置であって、
前記複数の光源は、各々の光軸がおよそ平行となるように配置されており、
前記冷却手段は、上記複数の光源の配列方向に所望の長さの回転軸を有し、前記回転軸の周りに複数の送風羽ねを備えた投写型表示装置である。


【手続補正１９】
【補正対象書類名】明細書
【補正対象項目名】００３４
【補正方法】変更
【補正の内容】
【００３４】
又、本発明の投写型表示装置は、上記冷却手段が、クロスフローファンである投写型表示装置である。